(57)【要約】 【課題】外部装置から受信したファイルに、所望のデータが含まれているか否かのチェックに要する時間を短縮可能な処理装置およびプログラムを提供する。【解決手段】本発明に係るホスト装置２０は、外部装置である端末装置１０から、少なくとも１つのデータを含むファイルを受信する通信部２２と、ファイルに、製品に含まれる化学物質が環境に与える影響を評価するための評価データが含まれているか否かを判定する判定処理を行う制御部２１（判定部２４）と、を備える。【選択図】図１
2012221357.tif 000002
【特許請求の範囲】
【請求項１】
外部装置から、少なくとも１つのデータを含むファイルを受信する受信部と、
前記ファイルに、製品に含まれる化学物質が環境に与える影響を評価するための評価データが含まれているか否かを判定する判定処理を行う判定部と、を備える、
ことを特徴とする処理装置。
【請求項２】
前記ファイルを記憶するためのデータベース部と、
前記判定処理の結果、前記評価データが前記ファイルに含まれていると判定された場合は、当該ファイルを前記データベース部に登録する登録部と、
前記判定処理の結果、前記評価データが前記ファイルに含まれていないと判定された場合は、足りないデータを示すエラー情報を前記外部装置へ送信する送信部と、を備える、
ことを特徴とする請求項１に記載の処理装置。
【請求項３】
前記評価データには、前記製品を構成する部品に含まれる化学物質の用途を示す情報が含まれる、
ことを特徴とする請求項１に記載の処理装置。
【請求項４】
前記評価データには、前記製品を構成する部品に含まれる化学物質を分類するための規格として、所定の規格が特定されていることを示すデータが含まれる、
ことを特徴とする請求項１に記載の処理装置。
【請求項５】
前記評価データには、前記製品を構成する部品の材質の質量を示すデータが含まれる、
ことを特徴とする請求項１に記載の処理装置。
【請求項６】
前記評価データには、前記製品の単位量当たりの質量を示すための、前記単位量の種類を示す単位量データと、前記質量の値を示すデータとが含まれ、
前記判定部は、前記ファイルに含まれる前記単位量データで示される単位量の種類が、所定の種類ではない場合は、当該ファイルには、前記評価データが含まれていないと判定する、
ことを特徴とする請求項１に記載の処理装置。
【請求項７】
外部の端末装置から、少なくとも１つのデータを含むファイルを受信する受信ステップと、
前記ファイルに、製品に含まれる化学物質が環境に与える影響を評価するための評価データが含まれているか否かを判定する判定処理を行う判定ステップと、をコンピュータに実行させるためのプログラム。
【発明の詳細な説明】
【技術分野】
【０００１】
本発明は、処理装置およびプログラムに関する。
【背景技術】
【０００２】
近年、環境保護の観点から、環境負荷の少ない製品が求められている。そして、製品に含まれる化学物質の情報を把握して、当該製品が環境に与える影響を評価する技術が知られている。例えば特許文献１には、仕入先の端末から、製品の原材料を示す原材料データ、および、製品に含まれる化学物質の種類や量を示す化学物質データなどのデータを含むファイルがホスト側のサーバに送信され、ホスト側のコンピュータでは、その受信したファイルに含まれるデータに基づいて、製品の安全性を判定するという技術が開示されている。
【発明の概要】
【発明が解決しようとする課題】
【０００３】
しかしながら、特許文献１に開示された技術では、仕入先の端末装置から受信したファイルに、所望のデータが含まれているか否かのチェックを手動で行うために、チェック担当者の負担が大きいうえ、当該チェックに多大な時間を要するという問題がある。
【０００４】
本発明は、上記に鑑みてなされたものであって、外部装置から受信したファイルに、所望のデータが含まれているか否かのチェックに要する時間を短縮可能な処理装置およびプログラムを提供することを目的とする。
【課題を解決するための手段】
【０００５】
上述した課題を解決し、目的を達成するために、本発明の処理装置は、外部装置から、少なくとも１つのデータを含むファイルを受信する受信部と、前記ファイルに、製品に含まれる化学物質が環境に与える影響を評価するための評価データが含まれているか否かを判定する判定処理を行う判定部と、を備えることを特徴とする。
【０００６】
また、本発明のプログラムは、外部の端末装置から、少なくとも１つのデータを含むファイルを受信する受信ステップと、前記ファイルに、製品に含まれる化学物質が環境に与える影響を評価するための評価データが含まれているか否かを判定する判定処理を行う判定ステップと、をコンピュータに実行させるためのプログラムである。
【発明の効果】
【０００７】
本発明によれば、外部装置から受信したファイルに、所望のデータが含まれているか否かのチェックに要する時間を短縮できるという有利な効果を奏する。
【図面の簡単な説明】
【０００８】
【図１】図１は、実施形態の管理システムの概略構成例を示すブロック図である。
【図２】図２は、ファイルのデータ構成例を示す図である。
【図３】図３は、ホスト装置の処理動作の一例を示すフローチャートである。
【図４】図４は、判定処理の一例を示すフローチャートである。
【図５】図５は、JIGで規定される、化学物質の用途を示すデータの構成例を示す図である。
【発明を実施するための形態】
【０００９】
以下、添付図面を参照しながら、本発明に係る処理装置およびプログラムの実施の形態を詳細に説明する。図１は、製品に含まれる化学物質の情報を管理するための管理システム１００の概略構成例を示す図である。図１に示すように、管理システム１００は、少なくとも１つの端末装置１０と、ホスト装置２０とを備える。ここでは、一例として、ホスト装置２０は、製品に含まれる化学物質の情報を管理する企業内に設けられ、端末装置１０は製品の仕入先に設けられる。なお、図１の例では、管理システム１００が有する端末装置１０の数は１つであるが、これに限らず、管理システム１００が有する端末装置１０の数は任意である。例えば管理システム１００は、２以上の端末装置１０を有していてもよい。言い換えれば、製品の仕入先は１つであってもよいし、複数であってもよい。
【００１０】
図１に示すように、端末装置１０は、制御部１１と、通信部１２とを備える。制御部１１は、端末装置１０の各部を制御する手段であり、例えばＣＰＵ（Central  Processing  Unit）、ＲＯＭ（Read  Only  Memory）、ＲＡＭ(Random  Access  Memory)等を備えたコンピュータで構成される。通信部１２は、制御部１１の制御の下、ホスト装置２０と通信を行う手段である。
【００１１】
制御部１１が有する機能には、ファイル作成部１４、送信部１５が含まれる。これらの機能は、制御部１１が有するＣＰＵがＲＯＭ等に記憶された制御プログラムをＲＡＭ上に読み出して実行することにより実現される。なお、これに限らず、これらの機能の少なくとも一部を個別の回路（ハードウェア）で実現することもできる。
【００１２】
ファイル作成部１４は、ホスト装置２０からのファイルの作成を指示する作成指示情報を通信部１２で受信した場合、ファイルを作成する。「ファイル」とは、複数のデータを束ねたものであり、データセットと捉えることもできる。図２は、ファイル作成部１４で作成されるファイルの一例を示す図である。図２の例では、ファイルは、製品（成形品）の測定単位（報告単位）に関するデータ、化学物質を分類するための規格に関するデータ、製品を構成する部品に関するデータを含む。
【００１３】
製品の測定単位に関するデータは、製品の単位量当たりの質量を特定するためのものであり、単位量の種類を示す単位量データと、質量の値を示すデータと、質量の単位を示すデータとを含む。図２の例では、単位量データによって示され得る単位量の種類は、「個数、ｍ、ｍ２、ｍ３」であり、質量の単位を示すデータによって示され得る単位の種類は、「ｋｇ、ｇ、ｍｇ」である。例えば単位量データが示す単位量が「個数」であり、質量を示すデータが「２０」であり、質量の単位を示すデータが「ｋｇ」である場合は、製品の１個当たりの質量が２０ｋｇであることが特定される。
【００１４】
化学物質を分類するための規格に関するデータは、化学物質を分類するための規格として、どの規格が対象になるのかを特定するためのものである。図２の例では、対象となり得る規格は、GADSL(Global Automotive Declarable Substance List)とJIG(The Joint Industry Guide for Material Composition Declaration for Electric Products)の２種類である。
【００１５】
部品に関するデータは、当該部品の名称を示すデータと、当該部品の数（員数）を示すデータと、当該部品の材質に関するデータと、当該部品に含まれる化学物質に関するデータと、法令・規格に関するデータとを含む。部品の材質に関するデータは、当該部品の材質の用途を示すデータと、当該部品の材質の名称を示すデータと、当該部品の材質の分類Ｎｏ（分類コード番号）を示すデータと、当該部品の材質の公的規格を示すデータと、当該部品の材質の質量を示すデータとを含む。部品に含まれる化学物質に関するデータは、当該化学物質の名称を示すデータと、当該化学物質のＣＡＳ番号（JIGで規定された分類番号）を示すデータと、当該化学物質の含有率を示すデータと、当該化学物質の質量を示すデータとを含む。法令・規格に関するデータは、部品に含まれる化学物質が任意報告物質であるか否かを示すデータと、当該化学物質が67/548/EECの適用を受ける物質であるか否かを示すデータと、当該化学物質が76/769/EECの適用を受ける物質であるか否かを示すデータと、当該化学物質がELVの適用を受ける物質であるか否かを示すデータと、当該化学物質がROHSの適用を受ける物質であるか否かを示すデータと、当該化学物質がGADSLで規制対象物質として指定された物質に該当するのか否かを示すデータと、当該化学物質がJIGで規定された複数の規制対象レベルのうちの何れのレベルに属するのかを示すとともに、その用途を示すデータ（「JIGデータ」と呼ぶ）とを含む。
【００１６】
再び図１に戻って説明を続ける。送信部１５は、ファイル作成部１４が生成したファイルをホスト装置２０へ送信するように通信部１２を制御する。
【００１７】
図１に示すように、ホスト装置２０は、制御部２１と、通信部２２と、データベース部２３とを備える。制御部２１は、ホスト装置２０の各部を制御する手段であり、例えばＣＰＵ、ＲＯＭ、ＲＡＭ等を備えたコンピュータで構成される。通信部２２は、制御部２１の制御の下、端末装置１０と通信を行う手段である。データベース部２３は、ファイルを記憶するための手段である。
【００１８】
制御部２１が有する機能には、判定部２４、登録部２５、送信部２６が含まれる。これらの機能は、制御部２１が有するＣＰＵがＲＯＭ等に記憶された制御プログラムをＲＡＭ上に読み出して実行することにより実現される。なお、これに限らず、これらの機能の少なくとも一部を個別の回路（ハードウェア）で実現することもできる。
【００１９】
判定部２４は、端末装置１０で作成されたファイルを通信部２２で受信した場合、その受信したファイルに、製品に含まれる化学物質が環境に与える影響を評価するための評価データが含まれているか否かを判定する判定処理を行う。判定処理の詳細な内容については後述する。登録部２５は、判定部２４による判定処理の結果、端末装置１０から受信したファイルに評価データが含まれていると判定された場合は、当該ファイルをデータベース部２３に登録する。送信部２６は、判定部２４による判定処理の結果、端末装置１０から受信したファイルに評価データが含まれていないと判定された場合は、足りないデータを示すエラー情報を、当該ファイルを送信した端末装置１０へ送信するように通信部２２を制御する。また、送信部２６は、ファイルの作成を指示する作成指示情報を端末装置１０へ送信するように通信部２２を制御する。作成指示情報には、例えばファイルの納期を示す納期情報、製品の測定単位に関するデータのうち単位量データが示す単位量の種類を指定する単位量指定情報、ファイルのフォーマットを指定するフォーマット情報などが含まれる。
【００２０】
図３は、ホスト装置２０による処理動作の一例を示すフローチャートである。ここでは、送信部２６は、既に端末装置１０に対して作成指示情報を送信し終えていることを前提として説明を行う。図３に示すように、端末装置１０で作成されたファイルを通信部２２で受信した場合（ステップＳ１の結果：ＹＥＳ）、判定部２４は判定処理を実行する（ステップＳ２）。以下、図４を参照しながら、判定処理の具体的な内容を説明する。
【００２１】
図４は、ホスト装置２０（判定部２４）が実行する判定処理の一例を示すフローチャートである。図４に示すように、まず判定部２４は、端末装置１０が作成したファイルに、標準データが含まれているか否かを判定する（ステップＳ１１）。標準データとは、JAMP等の業界団体が定める評価データ（製品に含まれる化学物質が環境に与える影響を評価するためのデータ）であり、図２の例では、成形品の測定単位に関するデータ、化学物質を分類するための規格に関するデータ、JIGデータ、部品の材質に関するデータ以外のデータが、標準データに該当する。なお、これに限らず、標準データの種類は任意に変更可能である。また、成形品の測定単位に関するデータ、化学物質を分類するための規格に関するデータ、JIGデータ、部品の材質に関するデータは、標準データとは異なる評価データであると捉えることができる。
【００２２】
端末装置１０が作成したファイルに標準データが含まれていないと判定された場合（ステップS１１の結果：ＮＯ）、判定部２４は、足りないデータを示すエラー情報を不図示のメモリに記憶する（ステップＳ１２）。例えば、端末装置１０が作成したファイルに部品の数（員数）を示すデータが存在しなかった場合は、当該ファイルに標準データが含まれていないと判定され、部品の数を示すデータが足りないことを示すエラー情報が不図示のメモリに記憶される。そして、処理はステップＳ１３に移行する。一方、端末装置１０が作成したファイルに標準データが含まれていると判定された場合（ステップS１１の結果：ＹＥＳ）、処理はステップＳ１３に移行する。
【００２３】
ステップＳ１３では、判定部２４は、化学物質を分類するための規格としてJIGが対象になっているか否かを判定する。端末装置１０で作成されたファイルの中の、化学物質を分類するための規格に関するデータにより、化学物質を分類するための規格として、JIGが対象になっていることが特定されていない場合（ステップＳ１３の結果：ＮＯ）、判定部２４は、エラー情報を不図示のメモリに記憶する（ステップＳ１４）。この場合、化学物質を分類するための規格として、JIGが特定されていないことを示すエラー情報、見方を変えれば、化学物質を分類するための規格としてJIGを特定するデータが足りないことを示すエラー情報が不図示のメモリに記憶される。そして、処理はステップＳ１５に移行する。一方、化学物質を分類するための規格としてJIGが対象になっていると判定された場合（ステップＳ１３の結果：ＹＥＳ）、処理はステップＳ１５に移行する。
【００２４】
ステップＳ１５では、判定部２４は、端末装置１０が作成したファイルに、JIGデータが含まれているか否かを判定する。ファイルにJIGデータが含まれていないと判定された場合（ステップＳ１５の結果：ＮＯ）、判定部２４は、エラー情報を不図示のメモリに記憶する（ステップＳ１６）。例えば、部品に含まれる化学物質のうち、使用量が所定の閾値以下に規制される「レベルＡ（JIGで規定されるレベル）」に属する化学物質について、当該化学物質が「レベルＡ」に属することを示すデータがファイルに存在しなかった場合、あるいは、当該化学物質が「レベルＡ」に属することを示すデータは存在するものの、当該化学物質の用途を示すデータが存在しなかった場合は、当該ファイルにJIGデータが含まれていないと判定され、JIGデータが足りないことを示すエラー情報が不図示のメモリに記憶される。図５は、JIGで規定される、化学物質の用途を示すデータ（使用用途分類コード）の構成例を示す図である。そして、処理はステップＳ１７に移行する。一方、ファイルにJIGデータが含まれていると判定された場合（ステップＳ１５の結果：ＹＥＳ）、処理はステップＳ１７に移行する。
【００２５】
ステップＳ１７では、判定部２４は、ファイルに含まれるデータのうち、部品の数を示すデータと、部品の材質に関するデータとを参照して、部品の材質の質量と部品の数との積の合計値が正しいか否かを判定する。部品の材質の質量と部品の数との積の合計値が正しくないと判定された場合（ステップＳ１７の結果：ＮＯ）、判定部２４は、エラー情報を不図示のメモリに記憶する（ステップＳ１８）。この場合は、部品の数を示すデータ、および、部品の材質の質量を示すデータの各々の正しい値が必要であることを示すエラー情報、見方を変えれば、部品の数を示すデータと、部品の材質の質量を示すデータとが足りないことを示すエラー情報が不図示のメモリに記憶される。そして、処理はステップＳ１９に移行する。一方、部品の材質の質量と部品の数との積の合計値が正しいと判定された場合（ステップＳ１７の結果：ＹＥＳ）、処理はステップＳ１９に移行する。
【００２６】
ステップＳ１９では、判定部２４は、ファイルに含まれるデータのうち、部品の数を示すデータ、部品の材質に関するデータ、および、成形品の測定単位に関するデータを参照して、部品の材質の質量と部品の数との積の合計値と、成形品の質量との誤差が所定範囲内であるか否かを判定する。ここでは、判定部２４は、部品の材質の質量と部品の数との積の合計値と、成形品の質量との誤差が１０％未満であるか否かを判定するが、上記所定範囲は任意に変更可能である。部品の材質の質量と部品の数との積の合計値と、成形品の質量との誤差が１０％以上であると判定された場合（ステップＳ１９の結果：ＮＯ）、判定部２４は、エラー情報を不図示のメモリに記憶する（ステップＳ２０）。この場合は、部品の数を示すデータ、部品の材質の質量を示すデータ、および、成形品の質量を示すデータの各々の正しい値が必要であることを示すエラー情報、見方を変えれば、部品の数を示すデータ、部品の材質の質量を示すデータ、および、成形品の質量を示すデータが足りないことを示すエラー情報が不図示のメモリに記憶される。そして、処理はステップＳ２１に移行する。一方、部品の材質の質量と部品の数との積の合計値と、成形品の質量との誤差が１０％未満であると判定された場合（ステップＳ１９の結果：ＹＥＳ）、処理はステップＳ２１に移行する。
【００２７】
ステップＳ２１では、判定部２４は、ファイルに含まれるデータのうち、成形品の測定情報に関するデータを参照して、単位量データが示す単位量の種類が、上述の単位量指定情報で指定された単位量の種類と一致するか否かを判定する。単位量データが示す単位量の種類が、上述の単位量指定情報で指定された単位量の種類と一致しないと判定された場合（ステップＳ２１の結果：ＮＯ）、判定部２４はエラー情報を不図示のメモリに記憶する（ステップＳ２２）。この場合は、単位量指定情報で指定された単位量の種類を示す単位量データが必要であることを示すエラー情報、見方を変えれば、単位量指定情報で指定された単位量の種類を示す単位量データが足りないことを示すエラー情報が不図示のメモリに記憶される。そして、判定処理は終了する。一方、単位量データが示す単位量の種類が、上述の単位量指定情報で指定された単位量の種類と一致すると判定された場合（ステップＳ２１の結果：ＹＥＳ）、判定処理は終了する。
【００２８】
再び図３に戻って説明を続ける。判定部２４による判定処理の結果、ファイルに評価データが含まれていると判定された場合（ステップＳ３の結果：ＹＥＳ）、つまりは、不図示のメモリにエラー情報が登録されていない場合、登録部２５は、通信部２２で受信したファイルをデータベース部２３に登録する（ステップＳ４）。
【００２９】
一方、判定部２４による判定処理の結果、ファイルに評価データが含まれていないと判定された場合（ステップＳ３の結果：ＮＯ）、つまりは、不図示のメモリにエラー情報が登録されている場合、送信部２６は、端末装置１０に対して、不図示のメモリに記憶されたエラー情報を送信するように通信部２２を制御する（ステップＳ５）。エラー情報を受信した端末装置１０（ファイル作成部１４）は、その受信したエラー情報に基づいて再びファイルを作成し、その作成したファイルをホスト装置２０へ送信する。当該ファイルを受信したホスト装置２０は、上述の処理動作を再び実行する。
【００３０】
以上に説明したように、本実施形態では、ホスト装置２０は、端末装置１０からファイルを受信した場合、その受信したファイルに、製品に含まれる化学物質が環境に与える影響を評価するための評価データが含まれているか否かを判定する判定処理を実行するので、受信したファイルに評価データが含まれているか否かのチェックを手動で行う場合に比べて、当該チェックに要する時間を大幅に短縮できるという有利な効果を奏する。
【００３１】
以上、本発明の各実施形態について説明したが、本発明は上述の各実施形態に限定されるものではなく、本発明の要旨を逸脱しない範囲内で様々な変形が可能である。
【００３２】
なお、上述の端末装置１０やホスト装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３３】
さらに、上述の端末装置１０やホスト装置２０で実行される制御プログラムを、インターネット等のネットワークに接続されたコンピュータ上に格納し、ネットワーク経由でダウンロードさせることにより提供するように構成してもよい。また、上述の端末装置１０やホスト装置２０で実行される制御プログラムをインターネット等のネットワーク経由で提供または配布するように構成してもよい。
【００３４】
なお、上述の実施形態では、ホスト装置２０が、請求項における「処理装置」に対応する。
【符号の説明】
【００３５】
１０  端末装置
１１  制御部
１２  通信部
１４  ファイル作成部
１５  送信部
２０  ホスト装置
２１  制御部
２２  通信部
２３  データベース部
２４  判定部
２５  登録部
２６  送信部
１００  管理システム
【先行技術文献】
【特許文献】
【００３６】
【特許文献１】特開２００２−２３００９１号公報
【図１】
2012221357.tif 000003
【図２】
2012221357.tif 000004
【図３】
2012221357.tif 000005
【図４】
2012221357.tif 000006
【図５】
2012221357.tif 000007